(57)【特許請求の範囲】
【請求項１】
第１の筒体と、
前記第１の筒体の内径側に収容された収容位置と前記第１の筒体に対して光軸方向入射側に移動した撮影位置との間で移動可能であり、内周面に第１及び第２のカム溝が形成された第２の筒体と、
前記第１のカム溝に係合する第３の筒体に支持され、前記第２の筒体に連動して移動する第１のレンズと、
前記第２のカム溝に係合する部材に支持され、前記第２の筒体に連動して移動する第２のレンズと、
環状に形成されるとともに前記第１の筒体の光軸方向出射側の端部に支持され、前記第１の筒体の内径側に設けられた直進案内部と、
前記第２の筒体の光軸方向出射側の端部から光軸方向出射側に突き出して設けられ、前記第２のカム溝の一部が形成された突出部と、
前記直進案内部に形成され前記収容位置において前記突出部を収容する収容部と
を備え、
前記直進案内部の外周縁部は、前記第１の筒体の前記端部に接した接続領域と、内径側に凹ませて形成され前記第１の筒体の前記端部との間に空間部を形成する第１の切欠部とを備え、
前記第１の切欠部は、少なくとも一部が前記収容部として機能すること
を特徴とするレンズ鏡筒。
【請求項２】
請求項１に記載のレンズ鏡筒であって、
前記直進案内部には、前記第１の切欠部に連続して形成された第２の切欠部が形成され、
当該第２の切欠部は、前記接続領域の径方向中間部分が周方向に沿って切り欠かれたように形成された空間部であり、
前記第２の切欠部と前記第１の切欠部の前記少なくとも一部とは、協働して前記収容部として機能すること
を特徴とするレンズ鏡筒。
【請求項３】
請求項１又は請求項２に記載のレンズ鏡筒であって、
前記第１の筒体は、外径側に突き出して設けられたカムフォロワを備えるとともに、前記直進案内部に対して所定の軸線回りに相対回転可能に設けられ、
前記カムフォロワは、前記第１の筒体と前記直進案内部との相対回転に応じて前記接続領域に対して前記軸線回り方向の位置が重なることが可能な位置に設けられること
を特徴とするレンズ鏡筒。
【請求項４】
請求項３に記載のレンズ鏡筒であって、
前記カムフォロワは、前記第２の筒体が撮影位置に配置された撮影状態で前記直進案内部と前記第１の筒体とが前記相対回転する際、前記接続領域に対して前記軸線回り方向の位置が重なる領域内で移動すること
を特徴とするレンズ鏡筒。
【請求項５】
請求項３に記載のレンズ鏡筒であって、
前記カムフォロワは、前記第２の筒体が撮影位置に配置された撮影状態で前記直進案内部と前記第１の筒体とが前記相対回転する際に第１の位置と第２の位置との間を移動し、前記第１の位置及び前記第２の位置の少なくとも一方に位置するときに、前記接続領域に対して前記軸線回り方向の位置が重なること
を特徴とするレンズ鏡筒。
【請求項６】
請求項３に記載のレンズ鏡筒であって、
前記カムフォロワは、前記第２の筒体が撮影位置に配置された撮影状態で前記直進案内部と前記第１の筒体とが前記相対回転する際に、第１の位置と第２の位置との間を移動し、前記第１の位置及び前記第２の位置の少なくとも一方に位置するときに、前記接続領域と前記第１の切欠部との境界近傍の領域に対して前記軸線回り方向の位置が重なること
を特徴とするレンズ鏡筒。
【請求項７】
請求項１から６までのいずれか１項に記載のレンズ鏡筒であって、
像ブレを補正する像ブレ補正レンズを収容する像ブレ補正ユニットを有し、
前記第２の筒体が撮影位置にある状態であって、前記像ブレ補正ユニットと前記直進案内部とが互いに干渉しない位置に配置されること
を特徴とするレンズ鏡筒。
【請求項８】
請求項１から請求項７までのいずれか１項に記載のレンズ鏡筒と、
前記レンズ鏡筒に備えられた前記レンズを通過した被写体光が露光される撮像部と
を備えるカメラ。
【発明の詳細な説明】
【技術分野】
【０００１】
本発明は、レンズ鏡筒、及び、カメラに関するものである。
【背景技術】
【０００２】
カメラは、非撮影時にレンズ鏡筒をカメラボディ内に収容できるものが知られている（例えば、特許文献１参照）。
【特許文献１】特開平１０−７３７５３号公報
【発明の開示】
【発明が解決しようとする課題】
【０００３】
近年、カメラは小型化、薄型化される傾向にあり、レンズ鏡筒も収容時における光軸方向の寸法が短いものが望まれている。
本発明の課題は、小型化したレンズ鏡筒及びカメラを提供することである。
【課題を解決するための手段】
【０００４】
本発明は、以下のような解決手段により、前記課題を解決する。
【０００５】
請求項１の発明は、第１の筒体と、前記第１の筒体の内径側に収容された収容位置と前記第１の筒体に対して光軸方向入射側に移動した撮影位置との間で移動可能であり、内周面に第１及び第２のカム溝が形成された第２の筒体と、前記第１のカム溝に係合する第３の筒体に支持され、前記第２の筒体に連動して移動する第１のレンズと、前記第２のカム溝に係合する部材に支持され、前記第２の筒体に連動して移動する第２のレンズと、環状に形成されるとともに前記第１の筒体の光軸方向出射側の端部に支持され、前記第１の筒体の内径側に設けられた直進案内部と、前記第２の筒体の光軸方向出射側の端部から光軸方向出射側に突き出して設けられ、前記第２のカム溝の一部が形成された突出部と、前記直進案内部に形成され前記収容位置において前記突出部を収容する収容部とを備え、前記直進案内部の外周縁部は、前記第１の筒体の前記端部に接した接続領域と、内径側に凹ませて形成され前記第１の筒体の前記端部との間に空間部を形成する第１の切欠部とを備え、前記第１の切欠部は、少なくとも一部が前記収容部として機能することを特徴とするレンズ鏡筒である。
【０００６】
請求項２の発明は、請求項１に記載のレンズ鏡筒であって、前記直進案内部には、前記第１の切欠部に連続して形成された第２の切欠部が形成され、当該第２の切欠部は、前記接続領域の径方向中間部分が周方向に沿って切り欠かれたように形成された空間部であり、前記第２の切欠部と前記第１の切欠部の前記少なくとも一部とは、協働して前記収容部として機能することを特徴とするレンズ鏡筒である。
請求項３の発明は、請求項１又は請求項２に記載のレンズ鏡筒であって、前記第１の筒体は、外径側に突き出して設けられたカムフォロワを備えるとともに、前記直進案内部に対して所定の軸線回りに相対回転可能に設けられ、前記カムフォロワは、前記第１の筒体と前記直進案内部との相対回転に応じて前記接続領域に対して前記軸線回り方向の位置が重なることが可能な位置に設けられることを特徴とするレンズ鏡筒である。
請求項４の発明は、請求項３に記載のレンズ鏡筒であって、前記カムフォロワは、前記第２の筒体が撮影位置に配置された撮影状態で前記直進案内部と前記第１の筒体とが前記相対回転する際、前記接続領域に対して前記軸線回り方向の位置が重なる領域内で移動することを特徴とするレンズ鏡筒である。
請求項５の発明は、請求項３に記載のレンズ鏡筒であって、前記カムフォロワは、前記第２の筒体が撮影位置に配置された撮影状態で前記直進案内部と前記第１の筒体とが前記相対回転する際に第１の位置と第２の位置との間を移動し、前記第１の位置及び前記第２の位置の少なくとも一方に位置するときに、前記接続領域に対して前記軸線回り方向の位置が重なることを特徴とするレンズ鏡筒である。
請求項６の発明は、請求項３に記載のレンズ鏡筒であって、前記カムフォロワは、前記第２の筒体が撮影位置に配置された撮影状態で前記直進案内部と前記第１の筒体とが前記相対回転する際に、第１の位置と第２の位置との間を移動し、前記第１の位置及び前記第２の位置の少なくとも一方に位置するときに、前記接続領域と前記第１の切欠部との境界近傍の領域に対して前記軸線回り方向の位置が重なることを特徴とするレンズ鏡筒である。
請求項７の発明は、請求項１から６までのいずれか１項に記載のレンズ鏡筒であって、像ブレを補正する像ブレ補正レンズを収容する像ブレ補正ユニットを有し、前記第２の筒体が撮影位置にある状態であって、前記像ブレ補正ユニットと前記直進案内部とが互いに干渉しない位置に配置されることを特徴とするレンズ鏡筒である。
請求項８に記載の発明は、請求項１から請求項７までのいずれか１項に記載のレンズ鏡筒と、前記レンズ鏡筒に備えられた前記レンズを通過した被写体光が露光される撮像部とを備えるカメラである。
【発明の効果】
【０００７】
本発明によれば、小型化したレンズ鏡筒及びカメラを提供することができる。
【発明を実施するための最良の形態】
【０００８】
以下、図面を参照して本発明を適用したレンズ鏡筒及びカメラの実施形態について説明する。また、理解を容易にするため、各図面にＸ軸、Ｙ軸及びＺ軸によって形成される座標系を適宜設定して説明する。
図１は、実施形態のカメラの光軸を含む断面図であってレンズ鏡筒の収容位置を示している。
図２は、図１に示すレンズ鏡筒の撮影位置における断面図である。
図３は、図１に示すレンズ鏡筒に備えられたカム筒の内周面を示す展開図である。
図４は、図１に示すレンズ鏡筒を光軸方向出射側からみた図であり、（ａ）は、図１の収容位置を示し、（ｂ）は、図２の撮影位置を示している。
【０００９】
カメラ１に備えられたレンズ鏡筒２は、非撮影時にカメラボディ３内に収納されるとともに、撮影時にその一部がカメラボディ３から突き出す沈胴式レンズ鏡筒である。
レンズ鏡筒２は、第１レンズ群Ｌ１、第２レンズ群Ｌ２、ＣＣＤ（Charge
Coupled Device）台１０、固定筒２０、中間筒３０、カム筒４０、直進ガイド筒５０、直進筒６０、像ブレ補正ユニット７０、及び、直進案内部８０を備えている。
【００１０】
第１レンズ群Ｌ１及び第２レンズ群Ｌ２は、光軸Ａ方向に沿って入射側（被写体側）から出射側（撮像部側）に向けて、この順序で配列されている。第１レンズ群Ｌ１及び第２レンズ群Ｌ２は、２群構成のズームレンズを形成している。また、第１レンズ群Ｌ１は、フォーカスレンズとして、第２レンズ群Ｌ２は、像ブレ補正レンズとしてそれぞれ機能する。
第１レンズ群Ｌ１及び第２レンズ群Ｌ２の光軸Ａは、カメラ１の通常撮影位置において、後述する中間筒３０、カム筒４０の中心軸Ｂに対して下方に配置されている。本明細書においてカメラ１の通常撮影位置とは、光軸Ａを水平にして横長の画像を撮影する際のカメラ１の姿勢をさすものとする。
【００１１】
ＣＣＤ台１０は、ＣＣＤ１１及びＬＰＦ（Low-pass filter）１２を保持する部材である。
ＣＣＤ１１は、第２レンズ群Ｌ２の出射側に配置され、ＣＣＤ台１０に固定されている。ＣＣＤ１１は、第１レンズ群Ｌ１及び第２レンズ群Ｌ２を通過した被写体光を電気的な信号に変換して出力する光電変換素子を備えたカメラ１の撮像部である。
ＬＰＦ１２は、ＣＣＤ１１に結像される被写体像にモアレが発生することを防止するものである。ＬＰＦ１２は、第２レンズ群Ｌ２とＣＣＤ１１との間に設けられており、ＣＣＤ１１と同様にＣＣＤ台１０に固定されている。
【００１２】
固定筒２０は、レンズ鏡筒２を形成する複数の筒体のうち、最も外径側に配置された筒体である。この固定筒２０はカメラボディ３に固定されている。前述のＣＣＤ台１０は、固定筒２０の光軸Ａ方向出射側の端部に固定されている。図１及び図２は、以下説明するギア２１及び直進案内溝２２の構成を説明するため、便宜上固定筒２０の異なる断面を示している。
固定筒２０は、図１に示すように、ギア２１を備えている。ギア２１は、ＣＣＤ台１０に固定されたモータから、減速ギア列（モータ及び減速ギア列は、図示を省略する）を介して回転駆動される。
また、固定筒２０は、図２に示すように、その内周面部に光軸Ａ方向に延在して形成された直進案内溝２２を備えている。この直進案内溝２２には、後述するストッパリング８３の突起８３ａが挿入されている。
【００１３】
中間筒３０は、固定筒２０の内径側に挿入された第１の筒体である。中間筒３０は、光軸Ａ方向出射側の外周面部に前述したギア２１に噛み合うギア３１を備えている。また、中間筒３０は、その外周面部にカムフォロワ３２を備えている。このカムフォロワ３２は、固定筒２０の内周面部に形成されたカム溝２３（図２参照）に挿入されている。カムフォロワ３２の先端部は、テーパ状に形成されている。
中間筒３０は、光軸Ａ方向出射側の端部に固定リング３３が固定されている（図２参照）。この固定リング３３は、円環状に形成され、その内径側に後述する直進案内部８０が摺動可能に取り付けられている。
【００１４】
カム筒４０は、中間筒３０の内径側に挿入された第２の筒体である。カム筒４０は、中間筒３０と一体的に中心軸Ｂ回りに回転するようになっている。
カム筒４０の外径側には、中間筒３０の内周面に形成されたカム溝３４（図２参照）に挿入されるカムフォロワ４１を備えたガイド部４２が設けられている。ガイド部４２は、中心軸Ｂ回りの回転が制限されており、中間筒３０が回転すると光軸Ａ方向に直進移動する。ガイド部４２とカム筒４０とは、中心軸Ｂ回りに相対回転可能に接続されており、ガイド部４２が光軸Ａ方向に移動すると、カム筒４０は、これに連動して光軸Ａ方向に中間筒３０と一体的に回転しながら光軸Ａ方向に移動する。
【００１５】
カム筒４０は、図３に示すように、その内周面部に２系統のカム溝４３、４４を備えている。一方のカム溝４３には、後述する直進筒６０のカムフォロワ６１が挿入されている。また、他方のカム溝４４には、後述する像ブレ補正ユニット７０に備えられたカムフォロワ７１が挿入されている。カム溝４３及びカム溝４４は、それぞれ、カム筒の周方向に沿って略同じものが３つ、略同じ間隔で設けられている。
【００１６】
カム溝４３のカムプロファイルは、光軸Ａ方向出射側に開口した略Ｖ字状に形成されている。カム溝４３に挿入されるカムフォロワ６１は、レンズ鏡筒２の収容位置ＨＰにおいて、最も光軸Ａ方向出射側に配置され、ズームレンズの焦点距離が最も短いワイド位置Ｗにおいて、最も光軸Ａ方向入射側に配置される。また、カムフォロワ６１は、ズームレンズの焦点距離が最も長い状態となるテレ位置Ｔにおいて、ワイド位置Ｗよりも光軸方向出射側であって、収容位置ＨＰよりも光軸方向入射側に配置される。
【００１７】
これに対し、カム溝４４のカムプロファイルは、光軸Ａ方向入射側に開口した略Ｖ字状に形成されている。カム溝４４に挿入されるカムフォロワ７１は、テレ位置Ｔにおいて、最も光軸方Ａ向入射側に配置され、ワイド位置Ｗにおいて、最も光軸方向出射側に配置される。また、カムフォロワ７１は、レンズ鏡筒２の収容位置ＨＰにおいて、ワイド位置Ｗよりも光軸Ａ方向入射側であって、テレ位置Ｔよりも光軸Ａ方向出射側に配置されるようになっている。
【００１８】
カム筒４０は、光軸Ａ方向出射側の端部に突出部４５を備えている。
突出部４５は、カム筒４０の光軸Ａ方向出射側の端部に設けられた、例えば、３箇所の領域が、光軸Ａ方向出射側に突き出して形成されている。３つの突出部４５は、中心軸Ｂ回りに略均等な間隔を隔てて設けられている。カム筒４０は、突出部４５が設けられた領域に比べ、その他の領域の光軸Ａ方向の寸法が短くなっている。
カム溝４４は、像ブレ補正ユニット７０を収容位置ＨＰとワイド位置Ｗとの間で駆動する領域と、ワイド位置Ｗとテレ位置Ｔとの間で駆動する領域との境界部（像ブレ補正ユニット７０の移動方向を反転させる部分）を備えており、この境界部は、この突出部４５に形成されている。
【００１９】
直進ガイド筒５０は、カム筒４０の内径側に挿入された筒体である。
直進ガイド筒５０は、後述する直進案内部８０に設けられた直進キー８２が挿入される図示しない溝を備えており、中心軸Ｂ回りの回転が制限されている。直進ガイド筒５０は、後述する直進筒６０及び像ブレ補正ユニット７０の中心軸Ｂ回りの回転を制限する。
【００２０】
直進筒６０は、直進ガイド筒５０の内径側に挿入された筒体であり、レンズ鏡筒２を形成する複数の筒体のうち、図２に示すカメラ１の撮影位置において最も入射側に配置される。
直進筒６０は、その外周面部にカムフォロワ６１を備えている。このカムフォロワ６１は、前述したようにカム筒４０に形成されたカム溝４３に挿入されている。直進筒６０は、直進ガイド筒５０によって中心軸Ｂ回りの回転が制限されており、カム筒４０の回転に応じて光軸Ａ方向に直進移動する。
【００２１】
直進筒６０の内径側には、第１レンズ群Ｌ１及びアクチュエータ６２が収容されている。アクチュエータ６２は、例えば、オートフォーカス時にカメラ１に備えられた図示しない制御部からの信号に応じて第１レンズ群Ｌ１を直進筒６０に対して光軸Ａ方向に移動させる。
【００２２】
像ブレ補正ユニット７０は、カメラ１の姿勢の変化を検出する図示しないセンサの出力に応じて、第２レンズ群Ｌ２を光軸Ａに直交する平面内でシフトさせることによってＣＣＤ１１に結像される被写体像の像ブレ補正を行う公知の像ブレ補正装置である。
像ブレ補正ユニット７０は、カム筒４０に設けられたカム溝４４に挿入されるカムフォロワ７１を備えている。この像ブレ補正ユニット７０は、直進ガイド筒５０によって中心軸Ｂ回りの回転が制限されており、カム筒４０の回転に応じて光軸Ａ方向に直進移動する。
【００２３】
次に、直進案内部８０について説明する。
直進案内部８０は、環状に形成され、固定リング３３を介して中間筒３０の光軸Ａ方向出射側の端部に支持された支持部である。直進案内部８０は、中間筒３０に対して中心軸Ｂ回りに相対回転可能に接続されている。
直進案内部８０は、図４に示すように、基部８１、直進キー８２、ストッパリング８３、第１の切欠部８４及び第２の切欠部８５を備えている。
【００２４】
基部８１は、直進案内部８０のベースとなる部分であり、中間筒３０と同軸に配置された円環状に形成されている。以下、本明細書において、単に径方向、周方向といった場合には、この基部８１の径方向、周方向を意味するものとする。
直進キー８２は、直進ガイド筒５０を直進案内するものであり、基部８１から光軸Ａ方向入射側に突き出して設けられている。直進キー８２は、中心軸Ｂ回りに略等しい間隔を隔てて、例えば、３つが設けられている。
【００２５】
ストッパリング８３は、図２に示すように、基部８１の光軸Ａ方向出射側に設けられ、基部８１に対してビスによって固定されている。ストッパリング８３は、外径側に突き出して形成された突起８３ａを備えている。この突起８３ａは、固定筒２０に形成された直進案内溝２２に挿入されており、直進案内部８０の中心軸Ｂ回りの回転を制限している。
【００２６】
第１の切欠部８４は、基部８１の外周縁部を内径側に凹ませて形成した部分である。第１の切欠部８４は、中心軸Ｂ回りに略等しい間隔で、例えば、３箇所に設けられている。
直進案内部８０の外周縁部は、第１の切欠部８４が設けられている領域が中間筒３０に接続されていない非接続領域となっており、中間筒３０と直進案内部８０との間には、空間部が形成されている。これに対し、直進案内部８０における第１の切欠部８４が形成された領域以外の部分は、中間筒３０に接続されている。以下、直進案内部８０のうち、中間筒３０に接続された接続領域を接続部８６と称して説明する。
【００２７】
第２の切欠部８５は、接続部８６の径方向中間部分が周方向に沿って切り欠かれたように形成された空間部である。第２の切欠部８５は、接続部８６の一端部に開口しており、第１の切欠部８４と連続して形成されている。第１の切欠部８４と第２の切欠部８５とが連続して形成されているとは、第１の切欠部８４と第２の切欠部８５とがつながっているという意味であり、これらは、ひとつの空間部を形成している。
【００２８】
ここで、レンズ鏡筒２は、図１及び図４（ａ）に示す収容位置において、カム筒４０に設けられた突出部４５が第１の切欠部８４の一部及び第２の切欠部８５に収容されるようになっている。以下、レンズ鏡筒２の収容位置において突出部４５を収容する部分（第１の切欠部８４の一部及び第２の切欠部８５）を、収容部８７と称して説明する。
【００２９】
次に、中間筒３０に備えられたカムフォロワ３２と接続部８６との位置関係について説明する。
中間筒３０は、中心軸Ｂ回りの回転によってカム筒４０を回転させ、第１レンズ群Ｌ１と第２レンズ群Ｌ２とによって形成されるズームレンズは、このカム筒４０の回転によってワイド位置とテレ位置との間を移動する。
【００３０】
そして、カムフォロワ３２がワイド位置とテレ位置との間で移動する際の移動範囲は、接続部８６に対して径方向に重なる領域（図４（ｂ）において符号Ｃを付す）内となっている。この領域Ｃ内において、カムフォロワ３２の中心軸Ｂ回り方向の位置は、接続部８６の中心軸Ｂ回り方向の位置と重なっている。
例えば、図４（ｂ）に示すズームレンズのワイド位置において、カムフォロワ３２の位置は、接続部８６に対して径方向に重なっている。また、このワイド位置から、ズームレンズをテレ位置に駆動すると、カムフォロワ３２は、接続部８６に対して中心軸Ｂ回りに回転するが、カムフォロワ３２は、テレ位置であっても接続部８６と径方向に重なるように設けられている（テレ位置のカムフォロワの位置は、図示を省略する）。
【００３１】
次に、レンズ鏡筒２の動作を説明する。
カメラ１は、撮影者等のユーザによって図示しない電源スイッチがオン操作されると、ギア２１が回転し、中間筒３０が中心軸Ｂ回りに回転する。中間筒３０は、固定筒２０に形成されたカム溝２３に案内されて光軸Ａ方向入射側に繰り出される。
【００３２】
中間筒３０が光軸Ａ方向入射側に繰り出されると、直進案内部８０もこれに伴って光軸Ａ方向に直進移動する。
また、中間筒３０の回転に伴ってカム筒４０も回転し、カム筒４０は、中間筒３０に形成されたカム溝３４に案内されて光軸Ａ方向入射側に繰り出される。
【００３３】
カム筒４０が中心軸Ｂ回りに回転すると、カム筒４０に形成されたカム溝４３、４４に案内されて直進筒６０、及び、像ブレ補正ユニット７０が光軸Ａ方向入射側に直進移動する。これによって、カメラ１は、図２及び図４（ｂ）に示す撮影位置（ワイド位置Ｗ）となる。
この撮影位置から、ユーザによって電源スイッチがオフ操作されると、ギア２１が逆転し、上記の場合とは逆に各筒体が光軸Ａ方向出射側に移動して、図１及び図４（ａ）に示す収容位置となる。
【００３４】
ここで、レンズ鏡筒２が、図４（ａ）に示す収容位置のとき、カム筒４０に設けられた突出部４５は、直進案内部８０に形成された収容部８７に収容される。
また、カム筒４０は、収容位置から撮影位置へ移動する際、光軸Ｂ回りに回転しながら光軸Ａ方向入射側に繰り出され、突出部４５は、これに伴って、収容部８７から離脱する。
【００３５】
以下、実施形態のレンズ鏡筒２の効果を説明する。
像ブレ補正レンズ（第２レンズ群Ｌ２）によるブレ補正性能を高くするためには、光軸と垂直な方向における像ブレ補正レンズの可動範囲が大きければ大きい方が好ましい。そのため、レンズ鏡筒が撮影位置（ズームレンズのワイド端からテレ端の間）にある状態において、直進キー８２が取り付けられている直進案内部８０の基部８１が、像ブレ補正ユニット７０と干渉しない位置にあることが望まれる。ゆえに、実施形態では、直進案内部８０の基部８１を中問筒３０の光軸Ａ方向出射側に配置し、上述の干渉が発生しないようにしている。
【００３６】
しかし、単に直進案内部８０の基部８１を中間筒３０の光軸Ａ方向出射側に配置するだけだと、収納位置における鏡筒の光軸方向の長さが基部８１の寸法分だけ長くなってしまう。これを防止するため、実施形態では、さらにカム筒４０の光軸Ａ方向の寸法を短くしている。
【００３７】
しかしながら、図３に示されるように、カム溝４４における像ブレ補正ユニット７０の移動方向を反転させる部分については、カム筒４０の寸法を短くすることができない。そのため、実施形態では、この境界部の部分に突出部４５を設けている。そして収納位置においてこの突出部４５が直進案内部８０の基部８１に干渉しないように、第１の切り欠き部８４と第２の切り欠き部８５とが形成されている。
上述の構成をとったため、本実施形態の装置は高いブレ補正性能を実現するとともに、光軸方向に薄型であるレンズ鏡筒を実現することができる。
【００３８】
この実施形態のレンズ鏡筒２の効果を比較形態のレンズ鏡筒と対比して説明する。
比較形態のレンズ鏡筒に備えられたカム筒１４０（比較形態のカム筒１４０を図３において一点鎖線によって示す）は、実施形態のカム筒４０と同様なカム溝４３、４４を備えているが、実施形態のカム筒４０に設けられた突出部４５に相当するものを備えておらず、光軸Ａ方向の長さが一定となっている。したがって、この比較形態のカム筒１４０は、レンズ鏡筒の収容位置において、全体が直進案内部８０よりも光軸Ａ方向入射側に配置される。
【００３９】
これに対し、実施形態のレンズ鏡筒２は、収容位置において突出部４５が収容部８７に収容される。この状態ではカム筒４０の一部（突出部４５）と直進案内部８０との光軸Ａ方向の位置を重なるので、レンズ鏡筒２は、収容位置における光軸Ａ方向の寸法を比較形態のレンズ鏡筒に比べ、突出部４５の突き出し長さの分だけ短くできる。
【００４０】
また、突出部４５は、カム筒４０の光軸Ａ方向出射側の端部から突き出して形成されたものとして説明したが、比較形態のカム筒１４０の光軸Ａ方向出射側の端部を光軸Ａ方向入射側に凹ませて形成したものとして説明することもできる。そして、実施形態のレンズ鏡筒２は、カム溝４４が設けられていない領域を凹ませて突出部４５を形成したので、カム筒４０の機能を確保しつつ小型化を実現できる。
【００４１】
また、実施形態のレンズ鏡筒２によれば、以下の効果を得ることができる。
撮影位置のレンズ鏡筒２は、直進筒６０等がカメラボディ３から入射側に突き出しているので光軸Ａ方向に衝撃が加わる可能性がある。そして、中間筒３０に設けられたカムフォロワ３２は、レンズ鏡筒２に光軸Ａ方向の衝撃が加わるとカム溝２３に押圧される。カムフォロワ３２の先端部は、テーパ状に形成されているので、カムフォロワ３２がカム溝２３によって光軸Ａ方向に押圧されると、中間筒３０は、その分力によって径方向内側に変形しようとする。
【００４２】
これに対し、本実施形態のレンズ鏡筒２は、図４（ｂ）に示すように、撮影位置においてカムフォロワ３２と直進案内部８０の接続部８６とが径方向に重なる。したがって、中間筒３０を径方向内側に変形させようとする力は、接続部８６を介して基部８１に伝達される。ここで、基部８１は、円環状に形成されているので、径方向からの押圧力に対して補剛部材として機能し、中間筒３０の径方向の剛性が向上する。これによって、中間筒３０の変形が防止される。
【００４３】
［変形形態］
本発明のレンズ鏡筒及びカメラの構成は、以上説明した実施形態に限定されることなく、以下に示すような種々の変形や変更が適宜可能であり、それらも本発明の技術的範囲内に含まれる。
（１）実施形態の支持部は、他の筒体を直進案内する直進案内部であったが、支持部は、これに限らず、第１の筒体の内径側に設けられていれば、このような機能を有していなくてもよい。また、第２の筒体は、カム溝を備えたカム筒であったが、この第２の筒体の機能も特に限定されない。
（２）実施形態において、カムフォロワは、ワイド位置、テレ位置の両方で接続部と周方向の位置が重なるように設けられていたが、これに限らず、一方の位置（例えば、カメラボディからの突き出し量が大きいテレ位置）のみで接続部に重なるようにカムフォロワを設けてもよい。
（３）レンズ鏡筒は、撮影位置でカムフォロワが接続部と非接続部との境界部近傍に位置していれば接続部に径方向に重なっていなくてもよく、この場合であっても実施形態と実質的に同様の効果（第１の筒体の剛性向上）を得ることができる。
（４）実施形態のレンズ鏡筒は、非撮影時にカメラボディに収容される沈胴式のレンズ鏡筒であったが、レンズ鏡筒の種類は、これに限らず、例えば、カメラボディに着脱可能な交換レンズ鏡筒であってもよい。
【図面の簡単な説明】
【００４４】
【図１】実施形態のレンズ鏡筒を備えたカメラを示す断面図であり、収容位置を示している。
【図２】実施形態のレンズ鏡筒を備えたカメラを示す断面図であり、撮影位置を示している。
【図３】図１に示すレンズ鏡筒に備えられたカム筒の内周面を示す展開図である。
【図４】図１に示すレンズ鏡筒に備えられた直進案内部を示す図である。
【符号の説明】
【００４５】
１  カメラ  ：  ２  レンズ鏡筒  ：  ３０  中間筒  ：  ３２  カムフォロワ  ：  ４０  カム筒  ：  ４５  突出部  ：  ８０  直進案内部  ：  ８７  収容部
【図１】
0005570098.tif 000002
【図２】
0005570098.tif 000003
【図３】
0005570098.tif 000004
【図４】
0005570098.tif 000005